(57)【要約】【課題】再生機器により編集された音楽コンテンツが編集結果に対応して再生されるように、ユーザの編集指示に対応したデータ構造の音楽コンテンツを編集記録することが可能な編集記録方法を提供すること。【解決手段】複数のオーディオコンテンツ情報（プログラム＃１と＃２）の結合指示に対応して、これら複数のオーディオコンテンツ情報の各管理情報（ＡＯＢＩ、ＡＳＶＵＩＴＸＴ＿ＳＲＰ）及び各再生情報（ＡＯＢ、ＡＳＶＯＢ、ＴＸＴ）から結合対象の情報を特定し（ＳＴ４１）、一つのオーディオコンテンツ情報（プログラム＃１）に対して、前記特定された結合対象の情報を割り当てる（ＳＴ４２〜ＳＴ４６）。【選択図】    図２３
2004326925.tif 000002
【特許請求の範囲】
【請求項１】
オーディオコンテンツ情報を編集記録する方法であって、
複数のオーディオコンテンツ情報の結合指示に対応して、これら複数のオーディオコンテンツ情報の各管理情報及び各再生情報から結合対象の情報を特定し、
一つのオーディオコンテンツ情報に対して、前記特定された結合対象の情報を割り当てる、
ことを特徴とする編集記録方法。
【請求項２】
前記複数のオーディオコンテンツ情報として、第１及び第２のプログラム情報が存在し、前記第１のプログラム情報は第１のセル情報に対応し、前記第２のプログラム情報は第２のセル情報に対応し、前記第１のセル情報は、第１の静止画像管理情報により１以上の静止画像オブジェクトに対応し、前記第２のセル情報は、第２の静止画像管理情報により１以上の静止画像オブジェクトに対応し、
前記第１及び第２のプログラム情報の結合指示に対応して、前記第１及び第２の静止画像管理情報を結合対象の情報として特定し、
前記第１及び第２の静止画像管理情報の内容を、前記第１の静止画像管理情報の内容として更新し、
前記第２の静止画像管理情報を削除し、
前記第１及び第２のセル情報の内容を、前記第１のプログラム情報に対応する前記第１のセル情報として更新し、
前記第２のプログラム情報を削除し、
前記第１のプログラム情報に対して、前記更新された前記第１の静止画像管理情報を割り当てる、
ことを特徴とする請求項１に記載の編集記録方法。
【請求項３】
前記第１及び第２のプログラム情報が、共に代表音声情報を含んでいる場合、どちらか一方の代表音声情報を選択し、前記第１のプログラム情報に対して選択された代表音声情報を含ませる、
ことを特徴とする請求項２に記載の編集記録方法。
【請求項４】
前記オーディオコンテンツ情報として、第１のプログラム情報が存在し、前記第１のプログラム情報は第１のセル情報に対応し、前記第１のセル情報は第１の静止画像管理情報により１以上の静止画像オブジェクトに対応し、
前記第１のプログラム情報及び前記第１のセル情報を所定の分割点で分割する分割指示に対応して、前記第１の静止画像管理情報を分割対象の情報として特定し、
前記第１の静止画像管理情報により管理される１以上の静止画像オブジェクトを複製し、複製された１以上の静止画像オブジェクトを管理する第２の静止画像管理情報を生成し、
前記第１のプログラム情報及び前記第１のセル情報を所定の分割点で分割して、第１及び第２の分割プログラム情報、及びこれら第１及び第２の分割プログラム情報に対応する第１及び第２の分割セル情報とを生成し、
前記第１の分割プログラム情報及び前記第１の分割セル情報に対して前記第１の静止画像管理情報により管理される１以上の静止画像オブジェクトを割り当て、前記第２の分割プログラム情報及び前記第２の分割セル情報に対して前記第２の静止画像管理情報により管理される１以上の静止画像オブジェクトを割り当てる、
ことを特徴とする請求項１に記載の編集記録方法。
【請求項５】
前記オーディオコンテンツ情報として、第１のプログラム情報が存在し、前記第１のプログラム情報は第１のセル情報に対応し、前記第１のセル情報は第１の静止画像管理情報により１以上の静止画像オブジェクトに対応し、
前記第１のプログラム情報及び前記第１のセル情報を所定の分割点で分割する分割指示に対応して、前記第１の静止画像管理情報を分割対象の情報として特定し、
前記第１のプログラム情報及び前記第１のセル情報を所定の分割点で分割して、第１及び第２の分割プログラム情報、及びこれら第１及び第２の分割プログラム情報に対応する第１及び第２の分割セル情報とを生成し、
前記第１の分割プログラム情報及び前記第１の分割セル情報に対して前記第１の静止画像管理情報により管理される１以上の静止画像オブジェクトを割り当てる、
ことを特徴とする請求項１に記載の編集記録方法。
【請求項６】
前記オーディオコンテンツ情報として、第１のプログラム情報が存在し、前記第１のプログラム情報は第１のセル情報に対応し、前記第１のセル情報は第１の静止画像管理情報により１以上の静止画像オブジェクトに対応し、
前記第１のプログラム情報及び前記第１のセル情報を所定の分割点で分割する分割指示に対応して、前記第１の静止画像管理情報を分割対象の情報として特定し、
前記所定の分割点に基づき、前記第１の静止画像管理情報により管理される１以上の静止画像オブジェクトの割り当て配分を決定し、
前記第１のプログラム情報及び前記第１のセル情報を所定の分割点で分割して、第１及び第２の分割プログラム情報、及びこれら第１及び第２の分割プログラム情報に対応する第１及び第２の分割セル情報とを生成し、
前記割り当て配分に基づき、前記第１の分割プログラム情報及び前記第１の分割セル情報、並びに前記第２の分割プログラム情報及び前記第２の分割セル情報に対して前記静止画像オブジェクトを割り当てる、
ことを特徴とする請求項１に記載の編集記録方法。
【請求項７】
前記オーディオコンテンツ情報として、所定のプログラム情報が存在し、この所定のプログラム情報が代表音声情報を含み、この所定のプログラム情報を所定の分割点で分割する分割指示に対応して、第１及び第２の分割プログラム情報を生成するとき、第１及び第２の分割プログラム情報のうちの前記代表音声情報の開始点を含む分割プログラム情報中に前記代表音声情報を割り当てる、
こをと特徴とする請求項１に記載の編集記録方法。
【請求項８】
前記オーディオコンテンツ情報として、所定のプログラム情報が存在し、この所定のプログラム情報を所定の分割点で分割する分割指示に対応して、分割点にインデックス情報を割り当てて、第１及び第２の分割プログラム情報を生成する、
こをと特徴とする請求項１に記載の編集記録方法。
【請求項９】
オーディオコンテンツ情報を編集記録する装置であって、
オーディオコンテンツ情報を取得する取得手段と、
前記取得手段により取得された前記オーディオコンテンツ情報を編集記録する編集記録手段と、
を備え、
前記編集記録手段は、
複数のオーディオコンテンツ情報の結合指示に対応して、これら複数のオーディオコンテンツ情報の各管理情報及び各再生情報から結合対象の情報を特定し、一つのオーディオコンテンツ情報に対して、前記特定された結合対象の情報を割り当てる、
ことを特徴とする編集記録装置。
【請求項１０】
前記複数のオーディオコンテンツ情報として、第１及び第２のプログラム情報が存在し、前記第１のプログラム情報は第１のセル情報に対応し、前記第２のプログラム情報は第２のセル情報に対応し、前記第１のセル情報は、第１の静止画像管理情報により１以上の静止画像オブジェクトに対応し、前記第２のセル情報は、第２の静止画像管理情報により１以上の静止画像オブジェクトに対応し、
前記編集記録手段は、
前記第１及び第２のプログラム情報の結合指示に対応して、前記第１及び第２の静止画像管理情報を結合対象の情報として特定し、
前記第１及び第２の静止画像管理情報の内容を、前記第１の静止画像管理情報の内容として更新し、
前記第２の静止画像管理情報を削除し、
前記第１及び第２のセル情報の内容を、前記第１のプログラム情報に対応する前記第１のセル情報として更新し、
前記第２のプログラム情報を削除し、
前記第１のプログラム情報に対して、前記更新された前記第１の静止画像管理情報を割り当てる、
ことを特徴とする請求項９に記載の編集記録装置。
【請求項１１】
前記編集記録手段は、前記第１及び第２のプログラム情報が共に代表音声情報を含んでいる場合、どちらか一方の代表音声情報を選択し、前記第１のプログラム情報に対して選択された代表音声情報を含ませる、
ことを特徴とする請求項１０に記載の編集記録装置。
【請求項１２】
前記オーディオコンテンツ情報として、第１のプログラム情報が存在し、前記第１のプログラム情報は第１のセル情報に対応し、前記第１のセル情報は第１の静止画像管理情報により１以上の静止画像オブジェクトに対応し、
前記編集記録手段は、
前記第１のプログラム情報及び前記第１のセル情報を所定の分割点で分割する分割指示に対応して、前記第１の静止画像管理情報を分割対象の情報として特定し、
前記第１の静止画像管理情報により管理される１以上の静止画像オブジェクトを複製し、複製された１以上の静止画像オブジェクトを管理する第２の静止画像管理情報を生成し、
前記第１のプログラム情報及び前記第１のセル情報を所定の分割点で分割して、第１及び第２の分割プログラム情報、及びこれら第１及び第２の分割プログラム情報に対応する第１及び第２の分割セル情報とを生成し、
前記第１の分割プログラム情報及び前記第１の分割セル情報に対して前記第１の静止画像管理情報により管理される１以上の静止画像オブジェクトを割り当て、前記第２の分割プログラム情報及び前記第２の分割セル情報に対して前記第２の静止画像管理情報により管理される１以上の静止画像オブジェクトを割り当てる、
ことを特徴とする請求項９に記載の編集記録装置。
【請求項１３】
前記オーディオコンテンツ情報として、第１のプログラム情報が存在し、前記第１のプログラム情報は第１のセル情報に対応し、前記第１のセル情報は第１の静止画像管理情報により１以上の静止画像オブジェクトに対応し、
前記編集記録手段は、
前記第１のプログラム情報及び前記第１のセル情報を所定の分割点で分割する分割指示に対応して、前記第１の静止画像管理情報を分割対象の情報として特定し、
前記第１のプログラム情報及び前記第１のセル情報を所定の分割点で分割して、第１及び第２の分割プログラム情報、及びこれら第１及び第２の分割プログラム情報に対応する第１及び第２の分割セル情報とを生成し、
前記第１の分割プログラム情報及び前記第１の分割セル情報に対して前記第１の静止画像管理情報により管理される１以上の静止画像オブジェクトを割り当てる、
ことを特徴とする請求項９に記載の編集記録装置。
【請求項１４】
前記オーディオコンテンツ情報として、第１のプログラム情報が存在し、前記第１のプログラム情報は第１のセル情報に対応し、前記第１のセル情報は第１の静止画像管理情報により１以上の静止画像オブジェクトに対応し、
前記編集記録手段は、
前記第１のプログラム情報及び前記第１のセル情報を所定の分割点で分割する分割指示に対応して、前記第１の静止画像管理情報を分割対象の情報として特定し、
前記所定の分割点に基づき、前記第１の静止画像管理情報により管理される１以上の静止画像オブジェクトの割り当て配分を決定し、
前記第１のプログラム情報及び前記第１のセル情報を所定の分割点で分割して、第１及び第２の分割プログラム情報、及びこれら第１及び第２の分割プログラム情報に対応する第１及び第２の分割セル情報とを生成し、
前記割り当て配分に基づき、前記第１の分割プログラム情報及び前記第１の分割セル情報、並びに前記第２の分割プログラム情報及び前記第２の分割セル情報に対して前記静止画像オブジェクトを割り当てる、
ことを特徴とする請求項９に記載の編集記録装置。
【請求項１５】
前記オーディオコンテンツ情報として、所定のプログラム情報が存在し、この所定のプログラム情報が代表音声情報を含むとき、
前記編集記録手段は、この所定のプログラム情報を所定の分割点で分割する分割指示に対応して、第１及び第２の分割プログラム情報を生成するとき、第１及び第２の分割プログラム情報のうちの前記代表音声情報の開始点を含む分割プログラム情報中に前記代表音声情報を割り当てる、
ことを特徴とする請求項９に記載の編集記録装置。
【請求項１６】
前記オーディオコンテンツ情報として、所定のプログラム情報が存在するとき、
前記編集記録手段は、この所定のプログラム情報を所定の分割点で分割する分割指示に対応して、分割点にインデックス情報を割り当てて、第１及び第２の分割プログラム情報を生成する、
こをと特徴とする請求項９に記載の編集記録装置。
【発明の詳細な説明】
【０００１】
【発明の属する技術分野】
この発明は、ＤＶＤ（Ｄｉｇｉｔａｌ  Ｖｅｒｓａｔｉｌｅ  Ｄｉｓｋ）−ＡＲ（Ａｕｄｉｏ  Ｒｅｃｏｒｄｉｎｇ）規格に準拠したオーディオコンテンツ情報を編集し記録する編集記録方法及び編集記録装置に関する。
【０００２】
【従来の技術】
現在、音楽コンテンツの多くはＣＤ（Ｃｏｍｐａｃｔ  Ｄｉｓｋ）や、インターネット等による電子音楽配信（ＥＭＤ：Ｅｌｅｃｔｒｏｎｉｃ  Ｍｕｓｉｃ  Ｄｉｓｔｒｉｂｕｔｉｏｎ）によってユーザーに提供されている。また、Ｄｉｓｋの大容量化が進み、ユーザーの高音質への要求も高まってきており、ＤＶＤ（Ｄｉｇｉｔａｌ  Ｖｅｒｓａｔｉｌｅ  Ｄｉｓｃ）の音楽コンテンツへの利用が注目されＤＶＤ−Ａｕｄｉｏ規格が作成されている。一方で、音楽コンテンツのコピーと著作権などの諸問題が生じており、この対策としてデータ著作権保護に関する技術開発が進められている（特許文献１）
【０００３】
【特許文献１】
特開２０００−２０７８３５号公報
【０００４】
【発明が解決しようとする課題】
しかしながら、上記で挙げたＤＶＤ−ＡｕｄｉｏはＲＯＭコンテンツであり、編集には不向きであった。このため編集に適したＤＶＤ−ＡＲ規格が作成されるが、トラック情報として一義的な情報しか持てない規格である。このために、特にトラックの分割又は結合を行った場合に、それぞれのトラック情報の扱いが決まらない等の問題があった。
【０００５】
そこで、本発明の目的は、上記の問題を解決するためになされたものであり、再生機器により編集された音楽コンテンツが編集結果に対応して再生されるように、ユーザの編集指示に対応したデータ構造の音楽コンテンツを編集記録することが可能な編集記録方法及び編集記録装置を提供することである。
【０００６】
【課題を解決するための手段】
上記課題を解決し目的を達成するために、この発明の編集記録方法及び編集記録装置は、以下のように構成されている。
【０００７】
（１）この発明は、オーディオコンテンツ情報を編集記録する方法であって、複数のオーディオコンテンツ情報（プログラム＃１と＃２）の結合指示に対応して、これら複数のオーディオコンテンツ情報の各管理情報（ＡＯＢＩ、ＡＳＶＵＩＴＸＴ＿ＳＲＰ）及び各再生情報（ＡＯＢ、ＡＳＶＯＢ、ＴＸＴ）から結合対象の情報を特定し、一つのオーディオコンテンツ情報（プログラム＃１）に対して、前記特定された結合対象の情報を割り当てることを特徴とする編集記録方法。
【０００８】
（２）この発明は、オーディオコンテンツ情報を編集記録する装置であって、オーディオコンテンツ情報を取得する取得手段と、前記取得手段により取得された前記オーディオコンテンツ情報を編集記録する編集記録手段とを備え、前記編集記録手段は、複数のオーディオコンテンツ情報（プログラム＃１と＃２）の結合指示に対応して、これら複数のオーディオコンテンツ情報の各管理情報（ＡＯＢＩ、ＡＳＶＵＩＴＸＴ＿ＳＲＰ）及び各再生情報（ＡＯＢ、ＡＳＶＯＢ、ＴＸＴ）から結合対象の情報を特定し（ＳＴ４１）、一つのオーディオコンテンツ情報（プログラム＃１）に対して、前記特定された結合対象の情報を割り当てる（ＳＴ４２〜ＳＴ４６）。
【０００９】
【発明の実施の形態】
以下、この発明の実施の形態について図面を参照して説明する。
【００１０】
図１は、オーディオコンテンツ情報記録再生装置の構成例を示す。記録部３２０は、メインＭＰＵ部３０５の制御に基づいて、各種入力部３１１〜３１３から入力されるコンテンツ情報（ＣＤ等のパッケージメディアコンテンツ３４１、又は電話回線やインターネット回線を経由して配信される電子音楽配信コンテンツ３４２等）をデータプロセッサ部３０３、ディスクドライブ部３０２を介してディスク１へ記録する記録処理を行なう。再生部３３０は、メインＭＰＵ部３０５の制御に基づいて、ディスク１からディスクドライブ部３０２、データプロセッサ部３０３を介して読み出したコンテンツ情報を各種出力部３１４〜３１６へ出力し再生処理を行なう。
【００１１】
記録部３２０では、アナログ映像入力部３１２から入力される映像情報は、Ａ／Ｄ変換部３２１を介し映像エンコーダ部３２２でエンコード処理を施された後、多重部３２４へ送られる。オーディオコンテンツ取得手段としてのアナログ音声入力部３１３から入力される音声情報は、Ａ／Ｄ変換部３２１を介し音声エンコーダ部３２３でエンコード処理を施された後、多重部３２４へ送られる。また、オーディオコンテンツ取得手段としてのデジタル音声入力部３１１から入力される音声情報は、符号変換部３２６により、特定の音声圧縮方式で圧縮されたオーディオ情報を伸張し、リニアＰＣＭへ符号変換処理を施された後、多重部３２４へ送られる。または、符号変換部３２６を介さずに多重部３２４へ送られる。多重部３２４では、送られた情報をＭＰＥＧプログラムストリームへと多重化する。多重化されたストリームは、フォーマッタ部３２５により所定形式にフォーマットされる。ユーザからの静止画像及びテキストを含むオーディオコンテンツ情報の編集指示（分割又は結合）がメインＭＰＵ部３０５で受け付けられている場合には、編集記録手段としての編集機能処理部３０６の制御に基づきフォーマッタ部３２５がフォーマットする。フォーマットされたデータは、編集記録手段としてのディスクドライブ部３０２によりディスク１へ記録される。編集機能処理部３０６による編集（分割又は結合）については、後に詳しく説明する。
【００１２】
再生部３３０では、ディスク１から読み出されたコンテンツ情報から管理データをメインＭＰＵ部３０５へ、多重化されたストリームは分離部３３５へと送られる。分離部３３５では、多重化されたＭＰＥＧプログラムストリームを、音声情報、映像情報等へと分離する。分離された音声情報は、音声デコーダ部３３４でデコード処理を施され、デジタル音声出力部３１６へ出力されるか、Ｄ／Ａ変換部３３１を介し、アナログ音声出力部３１５へ出力される。同様に映像情報は、映像デコーダ部３３３でそれぞれデコード処理を施され、映像プロセッサ部３３２で合成され、アナログ映像出力部３１４へ出力される。また、付加情報は、メインＭＰＵ部３０５へ送られる。
【００１３】
図２は、ディスク形状の情報記憶媒体１に格納されるデータ構造を示したものである。ディスク形状の情報記憶媒体１は大きく分けて、リードイン領域１０、ボリューム／ファイル構造情報領域１１、データ領域１２、リードアウト領域１３から構成される。
【００１４】
データ領域１２は、一般コンピュータ情報記録領域２０、オーディオ・レコーディング・データ記録領域２１及び他のレコーディング・データ記録領域２２から構成される。
【００１５】
オーディオ・レコーディング・データ記録領域２１は、オーディオ管理情報記録領域３０（ＡＲ＿ＭＡＮＧＲ．ＩＦＯファイル）、オーディオオブジェクト群記録領域１００（ＡＲ＿ＡＵＤＩＯ．ＡＲＯファイル）、静止画像オブジェクト群記録領域１１０（ＡＲ＿ＳＴＩＬＬ．ＡＲＯファイル）、テキスト・オブジェクト群記録領域１２０（ＡＲ＿ＴＥＸＴＩ．ＡＲＯファイル）、セキュア情報記録領域１３０（ＡＲ＿ＣＰＲＭＩ．ＡＲＯ）、オーディオ管理情報記録領域３１（ＡＲ＿ＭＡＮＧＲ．ＢＵＰファイル）から構成され、夫々、ファイルとして扱える。
【００１６】
オーディオオブジェクト群記録領域１００は、連続するオーディオデータを記録した１つ以上のオーディオオブジェクト１０１（ＡＯＢ  ：  Ａｕｄｉｏ  Ｏｂｊｅｃｔ）を含む。さらにオーディオオブジェクト１０１は、ＭＰＥＧプログラムストリームに準拠した１つ以上のオーディオ・パック１０２から構成され、オーディオデータが格納される。
【００１７】
静止画像オブジェクト群記録領域１１０は、１つ以上の静止画像ユニット１１１（ＡＳＶＵ  ：  Ａｕｄｉｏ  Ｓｔｉｌｌ  Ｖｉｄｅｏ  Ｕｎｉｔ）を含む。さらに、静止画像ユニット１１１は、１つ以上の静止画像オブジェクト１１２（ＡＳＶＯＢ  ：  Ａｕｄｉｏ  Ｓｔｉｌｌ  Ｖｉｄｅｏ  Ｏｂｊｅｃｔ）を含み、静止画像オブジェクト１１２は、静止画像１枚（ＪＰＥＧ）に対応する。また、静止画像オブジェクト１１２は、ＭＰＥＧプログラムストリームに準拠したパック群から構成され、システム・ヘッダを含むダミー・パック１１３、静止画像を格納する１つ以上のビデオ・パック１１４及びＭＰＥＧプログラム終了コード１１５から構成される。
【００１８】
テキスト・オブジェクト群記録領域１２０は、１つ以上のアイテム・テキスト１２１（ＩＴ＿ＴＸＴ  ：  Ｉｔｅｍ  Ｔｅｘｔ）を含む。アイテム・テキスト１２１は、識別コード１２２（ＩＤＣＤ  ：  Ｉｄｅｎｔｉｆｉｅｒ  Ｃｏｄｅ）、テキスト・サイズ１２３（ＴＸＴ＿ＳＺ  ：  Ｔｅｘｔ  Ｓｉｚｅ）、テキスト１２４（ＴＸＴ  ：  Ｔｅｘｔ）から構成される。識別コード１２２は、テキスト１２４に記述されるテキストのタイプを示す。例えば、曲名やポップス、ジャズ等の音楽ジャンル他が定義される。
【００１９】
図３は、オーディオ管理情報記録領域３０に格納されるデータを示したものである。オーディオ管理情報記録領域３０は、オーディオ管理情報４０（ＡＲ＿ＡＭＧＩ：Ａｕｄｉｏ  Ｒｅｃｏｒｄｉｎｇ  Ａｕｄｉｏ  Ｍａｎａｇｅｒ  Ｉｎｆｏｒｍａｔｉｏｎ）、オーディオ・ファイル情報テーブル５０（ＡＵＤＦＩＴ：Ａｕｄｉｏ  Ｆｉｌｅ  Ｉｎｆｏｒｍａｔｉｏｎ  Ｔａｂｌｅ）、オーディオ静止画像ファイル情報テーブル６０（ＡＳＶＦＩＴ：Ａｕｄｉｏ  Ｓｔｉｌｌ  Ｖｉｄｅｏ  Ｆｉｌｅ  Ｉｎｆｏｒｍａｔｉｏｎ  Ｔａｂｌｅ）、プログラム・チェーン情報７０（ＰＧＣＩ：Ｐｒｏｇｒａｍ  Ｃｈａｉｎ  Ｉｎｆｏｒｍａｔｉｏｎ）、テキスト情報テーブル８０（ＴＸＴＤＴ＿ＭＧ：Ｔｅｘｔ  Ｄａｔａ  Ｍａｎａｇｅｒ）及び製造者情報テーブル９０（ＭＮＦＩＴ：Ｍａｎｆａｃｔｕｒｅｒ‘ｓ  Ｉｎｆｏｒｍａｔｉｏｎ  Ｔａｂｌｅ）から構成される。
【００２０】
さらに、オーディオ管理情報４０は、オーディオ管理情報管理テーブル４１（ＡＭＧＩ＿ＭＡＴ：Ａｕｄｉｏ  Ｍａｎａｇｅｒ  Ｉｎｆｏｒｍａｔｉｏｎ  Ｍａｎａｇｅｍｅｎｔ  Ｔａｂｌｅ）とプレイリスト情報テーブル４２（ＰＬＩＴ：Ｐｌａｙ  Ｌｉｓｔ  Ｉｎｆｏｒｍａｔｉｏｎ  Ｔａｂｌｅ）を含む。オーディオ・ファイル情報テーブル５０は、オーディオ・ファイル情報テーブル情報５１（ＡＵＤＦＩＴＩ：ＡＵＤＦＩＴ  Ｉｎｆｏｒｍａｔｉｏｎ）、１つ以上のオーディオ・ストリーム情報を有するオーディオ・ストリーム情報群５２（ＡＵＤ＿ＳＴＩ＃：Ａｕｄｉｏ  Ｓｔｒｅａｍ  Ｉｎｆｏｒｍａｔｉｏｎ）、１つ以上の混合係数情報を有する混合係数情報群５３（ＤＭ＿ＣＯＥＦＩ＃：Ｄｏｗｎ  Ｍｉｘ  Ｃｏｅｆｆｉｃｉｅｎｔ  Ｉｎｆｏｒｍａｔｉｏｎ）及びオーディオ・ファイル情報５４（ＡＵＤＦＩ）を含む。オーディオ静止画像ファイル情報テーブル６０は、オーディオ静止画像ファイル情報テーブル情報６１（ＡＳＶＦＩＴＩ：ＡＳＶＦＩＴ  Ｉｎｆｏｒｍａｔｉｏｎ）、１つ以上のオーディオ静止画像ストリーム情報を有するオーディオ静止画像ストリーム情報群６２（ＡＳＶ＿ＳＴＩ＃：Ａｕｄｉｏ  Ｓｔｉｌｌ  Ｖｉｄｅｏ  Ｓｔｒｅａｍ  Ｉｎｆｏｒｍａｔｉｏｎ）及びオーディオ静止画像ファイル情報６３（ＡＳＶＦＩ）を含む。プログラム・チェーン一般情報７０は、プログラム・チェーン一般情報７１（ＰＧＣ＿ＧＩ：Ｐｒｏｇｒａｍ  Ｃｈａｉｎ  Ｇｅｎｅｒａｌ  Ｉｎｆｏｒｍａｔｉｏｎ）、１つ以上のセル情報サーチ・ポインタを有するセル情報サーチ・ポインタ群７３（ＣＩ＿ＳＲＰ＃：Ｃｅｌｌ  Ｉｎｆｏｒｍａｔｉｏｎ  Ｓｅａｒｃｈ  Ｐｏｉｎｔｅｒ）及び１つ以上のセル情報を有するセル情報群７４（ＣＩ＃）を含む。テキスト情報テーブル８０（ＴＸＴＤＴ＿ＭＧ：Ｔｅｘｔ  Ｄａｔａ  Ｍａｎａｇｅｒ）は、テキスト・データ情報８１（ＴＸＴＤＴＩ：Ｔｅｘｔ  Ｄａｔａ  Ｉｎｆｏｒｍａｔｉｏｎ）及び１つ以上のアイテム・テキスト・サーチ・ポインタを有するアイテム・テキスト・サーチ・ポインタ群８２（ＩＴ＿ＴＸＴ＿ＳＲＰ＃：Ｉｔｅｍ  Ｔｅｘｔ  Ｓｅａｒｃｈ  Ｐｏｉｎｔｅｒ）を含む。製造者情報テーブル９０は、製造者情報テーブル情報９１（ＭＮＦＩＴＩ：ＭＮＦＩＴ  Ｉｎｆｏｒｍａｔｉｏｎ）、１つ以上の製造者情報サーチ・ポインタを有する製造者情報サーチ・ポインタ群９２（ＭＮＦＩ＿ＳＲＰ＃：Ｍａｎｕｆａｃｔｕｒｅｒ‘ｓ  Ｉｎｆｏｒｍａｔｉｏｎ  Ｓｅａｒｃｈ  Ｐｏｉｎｔｅｒ）及び１つ以上の製造者情報を有する製造者情報群９３（ＭＮＦＩ＃）を含む。
【００２１】
図４は、オーディオ管理情報管理テーブル４１及びプレイリスト情報テーブル４２の内容を示す。オーディオ管理情報管理テーブル４１には、オーディオ管理情報記録領域３０を識別する識別情報４１０、オーディオ管理情報記録領域３０の終了位置情報４１１、オーディオ管理情報４０の終了位置情報４１２、本データ構造を管理するためのバージョン情報４１３、ディスクの代表画像を指定するディスク代表画像情報４１４、ディスク名等に用いられるテキスト情報へのポインタを番号で指定するテキスト・サーチ番号４１５及びオーディオ管理情報記録領域３０に格納される各テーブルの開始アドレス（オーディオ・ファイル情報テーブル５０等）を示す各テーブルの開始位置情報４１６が含まれる。
【００２２】
プレイリスト情報テーブル４２には、プレイリスト情報テーブル情報４２０（ＰＬＩＴＩ：ＰＬＩＴ  Ｉｎｆｏｒｍａｔｉｏｎ）、１つ以上のプレイリスト情報サーチ・ポインタを有するプレイリスト情報サーチ・ポインタ群４２１（ＰＬＩ＿ＳＲＰ＃：Ｐｌａｙ  Ｌｉｓｔ  Ｉｎｆｏｒｍａｔｉｏｎ  Ｓｅａｒｃｈ  Ｐｏｉｎｔｅｒ）及び１つ以上のプレイリスト情報を有するプレイリスト情報群４２２（ＰＬＩ＃）が格納される。さらに、プレイリスト情報群４２２は、プレイリスト一般情報４２３（ＰＬ＿ＧＩ：Ｐｌａｙ  Ｌｉｓｔ  Ｇｅｎｅｒａｌ  Ｉｎｆｏｒｍａｔｉｏｎ）及び１つ以上のプログラム・サーチ・ポインタを有するプログラム・サーチ・ポインタ群４２４（ＰＧ＿ＳＲＰ＃：Ｐｒｏｇｒａｍ  Ｓｅａｒｃｈ  Ｐｏｉｎｔｅｒ）を含む。プレイリスト一般情報４２３には、本プレイリスト内に格納されるＰＧ＿ＳＲＰの数４２５、本プレイリストの作成日時４２６、本プレイリスト用テキストを検索するテキスト・サーチ番号４２７及び本プレイリスト用代表画像情報４２８が含まれる。プレイリスト情報サーチ・ポインタ群４２１内には、本プレイリストで再生される順番に１つ以上のプログラム番号４２９及びダイナミック・レンジ制御を含む再生情報４３０を含む。
【００２３】
図５は、オーディオ・ファイル情報テーブル５０に格納される情報を示す。オーディオ・ファイル情報テーブル５１は、ディスク内のオーディオオブジェクト群記録領域１００に格納されるオーディオ属性を示すオーディオ・ストリーム情報群５２に格納されるオーディオ・ストリーム情報の数、混合係数情報群５３に格納される混合係数情報の数及びオーディオ・ファイル情報テーブル５０の終了位置情報を含む。
【００２４】
オーディオ・ストリーム情報群５２のオーディオ・ストリーム情報は、オーディオ・コーディング・モード、サンプリング周波数、チャネル数等のオーディオ属性を示す。
【００２５】
混合係数情報群５３の混合係数情報は、マルチ・チャネル構成のリニアＰＣＭオーディオを２チャネルにミックス・ダウンする為の係数が格納される。
【００２６】
オーディオ・ファイル情報５４は、オーディオ・ファイル情報一般情報５４０（ＡＵＤＦＩ＿ＧＩ：ＡＵＤＦＩ  Ｇｅｎｅｒａｌ  Ｉｎｆｏｒｍａｔｉｏｎ）及び１つ以上のオーディオオブジェクトを有するオーディオオブジェクト情報群５４１（ＡＯＢＩ＃：ＡＯＢ  Ｉｎｆｏｒｍａｔｉｏｎ）を含む。オーディオ・ファイル情報一般情報５４０は、オーディオオブジェクト情報群５４１に格納されるＡＯＢＩの数を含む。オーディオオブジェクト情報群５４１内のオーディオオブジェクト情報は、使用するオーディオ・ストリーム情報の番号やダウン・ミックス情報の番号等を示すＡＯＢ内容情報５４２、ＡＯＢ記録日時５４３、ＡＯＢ開始時間５４４、ＡＯＢ終了時間５４５及びオーディオオブジェクト群記録領域１００（ＡＲ＿ＡＵＤＩＯ．ＡＲＯファイル）内先頭から本ＡＯＢ先頭までのＡＯＢ開始位置５４６を含む。
【００２７】
図６は、オーディオ静止画像ファイル情報テーブル６０に格納される情報を示す。オーディオ静止画像ファイル情報テーブル情報６１は、ディスク内の静止画像オブジェクト群記録領域１１０に格納される静止画像属性を示すオーディオ静止画像ストリーム情報群６２に格納されるオーディオ静止画像ストリーム情報の数及びオーディオ静止画像ファイル情報テーブル６０の終了位置情報を含む。
【００２８】
オーディオ静止画像ストリーム情報群６２のオーディオ静止画像ストリーム情報は、圧縮コーディングがＪＰＥＧ等であることを示す静止画像属性を示す。
【００２９】
オーディオ静止画像ファイル情報６３は、オーディオ静止画像ファイル情報一般情報６３０（ＡＳＶＦＩ＿ＧＩ：ＡＳＶＦＩ  Ｇｅｎｅｒａｌ  Ｉｎｆｏｒｍａｔｉｏｎ）、１つ以上のオーディオ静止画像ユニット情報サーチ・ポインタを有するオーディオ静止画像ユニット情報サーチ・ポインタ群６３１（ＡＳＶＵＩ＿ＳＲＰ＃：ＡＳＶＵ  Ｉｎｆｏｒｍａｔｉｏｎ  Ｓｅａｒｃｈ  Ｐｏｉｎｔｅｒ）及び１つ以上のオーディオ静止画像ユニット情報を有するオーディオ静止画像ユニット情報群６３２（ＡＳＶＵＩ＃）を含む。オーディオ静止画像ファイル情報一般情報６３０は、オーディオ静止画像ファイル情報６３に格納されるＡＳＶＵＩの数を含む。オーディオ静止画像ユニット情報サーチ・ポインタ群６３１内のオーディオ静止画像ユニット情報サーチ・ポインタは、ＡＳＶＵＩの開始位置を含む。オーディオ静止画像ユニット情報群６３２は、オーディオ静止画像ユニット一般情報６３３（ＡＳＶＵ＿ＧＩ：ＡＳＶＵ  Ｇｅｎｅｒａｌ  Ｉｎｆｏｒｍａｔｉｏｎ）及びオーディオ静止画像オブジェクト・エントリ群６３４（ＡＳＶＯＢ＿ＥＮＴ＃：ＡＳＶＯＢ  Ｅｎｔｒｙ）を含む。オーディオ静止画像ユニット一般情報６３３は、本ＡＳＶＵに格納されるＡＳＶＯＢの数６３５、本ＡＳＶＵで使用するＡＳＶ＿ＳＴＩの番号６３６、最初のＡＳＶＯＢの記録日時６３７、最後のＡＳＶＯＢの記録日時６３８及び静止画像オブジェクト群記録領域１１０（ＡＲ＿ＳＴＩＬＬ．ＡＲＯファイル）内先頭から本ＡＳＶＵ先頭静止画像の開始位置を示すＡＳＶＵ開始位置６３９を含む。オーディオ静止画像オブジェクト・エントリ群６３４内のオーディオ静止画像オブジェクト・エントリは、ＡＳＶＵ内に格納されるＡＳＶＯＢ個々に対して、ＡＳＶＯＢの状態（通常／秘匿）を示すＡＳＶＯＢエントリ・タイプ６４０及びＡＳＶＯＢサイズ６４１を含む。
【００３０】
図７は、プログラム・チェーン情報７０に格納される情報を示す。プログラム・チェーン一般情報７１は、プログラム情報群７２に格納されるプログラム（曲）の数、セル情報サーチ・ポインタ群７３及びセル情報群７４に格納されるセルの数を含む。プログラム情報群７２には、前記プログラムの数で示される１つ以上のプログラム情報が格納される。そのプログラム情報には、本プログラムの状態（通常／プロテクト）を示すプログラム・タイプ７２１、本プログラムに含まれるセル数７２２、本プログラム用テキストを検索するテキスト・サーチ番号７２３、本プログラム用代表画像をＡＳＶＵＩ＿ＳＲＰ番号と、ＡＳＶＯＢ＿ＥＮＴ番号で指定する代表画像情報７２４、本プログラムのオーディオを再生中に表示可能な静止画像ユニットの番号を指定するＡＳＶＵＩ＿ＳＲＰ番号７２５及びその静止画像ユニットに含まれる静止画像の表示モード（シーケンシャル／ランダム）、表示効果（カットイン／アウト、フェードイン／アウトなど）及び表示期間等を含むＡＳＶ表示情報７２６が含まれる。セル情報サーチ・ポインタ群７３には、前記セルの数で示される１つ以上のセル情報サーチ・ポインタが格納される。セル情報サーチ・ポインタは、セル情報群７４に格納される対応するセル情報の開始位置情報である。
【００３１】
セル情報群７４には、前記セルの数で示される１つ以上のセル情報が格納される。セル情報は、セル一般情報７４０（Ｃ＿ＧＩ：Ｃｅｌｌ  Ｇｅｎｅｒａｌ  Ｉｎｆｏｒｍａｔｉｏｎ）、セル・エントリ・ポイント情報群７４１（Ｃ＿ＥＰＩ＃：Ｃｅｌｌ  Ｅｎｔｒｙ  Ｐｏｉｎｔ  Ｉｎｆｏｒｍａｔｉｏｎ）から構成される。セル一般情報７４０には、セルが再生選択を伴なうブロックを構成するかを示すセル・タイプ７４２、ダイナミック・レンジ制御のオン／オフを示す再生情報７４３、本セルが参照するＡＯＢのＡＯＢＩ番号７４４、本セル内のセル・エントリ・ポイント情報群７４１に格納されるＣ＿ＥＰＩの数７４５、本セルの再生時間を示すセル再生時間７４６、本セルに対応するＡＯＢでの開始位置を示すセル開始位置７４７、セル開始位置７４７で指示されるオーディオ・パック１０２内のアクセス・ユニットの開始位置を示す開始アクセス・ユニット番号７４８、本セルに対応するＡＯＢでの終了位置を示すセル終了位置７４９、セル終了位置７４９で指示されるオーディオ・パック１０２内のアクセス・ユニットの終了位置を示す終了アクセス・ユニット番号７５０及びセル再生開始時間を示すセル開始時間７５１が含まれる。
【００３２】
セル・エントリ・ポイント情報群７４１には、前記セルの数で示される１つ以上のセル・エントリ・ポイント情報が格納される。セル・エントリ・ポイント情報には、２種類のタイプがあり、タイプＡのセル・エントリ・ポイント情報には、タイプＡを示すエントリ・ポイント・タイプ７５２、本セルが属するプログラム（曲）の代表オーディオを示す情報で、その開始時間を示す代表オーディオ開始時間７５３及び代表オーディオ期間７５４が含まれる。タイプＢのセル・エントリ・ポイント情報には、タイプＢを示すエントリ・ポイント・タイプ７５５、本セルが属するプログラム（曲）内のインデックスを示すインデックス開始時間７５６及びそのインデックスに対するテキスト情報を付加できるテキスト・サーチ番号７５７が含まれる。
【００３３】
図８〜図１２は、本発明における編集作業を示す図である。図８は、第１の分割処理を示す図である。静止画像ユニット（ＡＳＶＵ）を持つセルを分割した場合、編集後に同じＡＳＶＵを別々のセルから参照できない。このため、ＡＳＶＵ＃１のデータと同じものをコピーしたＡＳＶＵ＃２を作成し前方のセルはＡＳＶＵ＃１を参照し、後方のセルはＡＳＶＵ＃２を参照するようなオーディオ静止画像ユニット情報群（ＡＳＶＵＩ）を作成する。なお、それ以降のセルの参照するＡＳＶＵ番号は順に１ずつ加えられる。
【００３４】
図９は、第２の分割処理を示す図である。セルが分割された場合、ＡＳＶＵＩは前方のセルに継承され、後方のセルには残らない。
【００３５】
図１０は、第３の分割処理を示す図である。この第３の分割処理は、分割されるトラックの長さと、ＡＳＶＯＢの再生時間によって分割後に各プログラムに割り振られるＡＳＶＯＢが変わる方法である。この場合、プログラムの分割点をどこにしても、ＡＳＶＯＢは半分ずつ割り振られる方法である。ＡＳＶＯＢが奇数の場合、中央の一枚はどちらか一方に割り振るものとする。
【００３６】
図１１は、第４の分割処理を示す図である。この第４の分割処理は、プログラムの分割点とＡＳＶＯＢの再生時間との関係で割り振られる枚数が変わる方法である。この場合、分割前のセルには４つのＡＳＶＯＢが割り当てられていたが、分割する際、分割点がセルの中央よりも前にあったため分割後のＡＳＶＯＢの割り当てをＡＳＶＵ＃１：ＡＳＶＵ＃２で１：３にしている。もし分割点が中央より後ろであった場合には３：１、分割後のセルのどちらかが十分大きい場合には０：４、４：０、ほぼ中央ならば２：２の場合が考えられる。
【００３７】
また代表画像（ＲＥＰ＿ＰＩＣＴ）のあるセルを分割した場合についても同様にＡＳＶＵをコピーしてそれぞれに指定する方法と、前方のセルにのみ継承する方法、各再生時間を継承する方法が考えられる。
【００３８】
図１２は、両方のセルにＡＳＶＵを持つセル同士の結合処理を示す図である。この場合、前方のセルにあったＡＳＶＵと後方のセルにあったＡＳＶＵをまとめて１つのＡＳＶＵを作成し、結合したセルから参照する。この時、データ構造は図２の静止画像ユニット１１１のようになる。ＡＳＶＯＢは１つのＡＳＶＵの中に９９個までしか入れることができない。このため、まとめたＡＳＶＵ内に９９個以上のＡＳＶＯＢが存在するような場合は９９個目以降のＡＳＶＯＢは消去される。また静止画を参照する時の指示情報ファイルはＡＳＶＵＩ＿ＳＲＰ＿Ｎｓを１つ減らし、ＡＳＶＵＩの数も１つ減らす。またＡＳＶＵＩ内のＡＳＶＯＢ＿Ｎｓを対応する数に増加させるように書き換える。または結合前のどちらか一方のＡＳＶＵを選択して参照し、静止画データ及び、指示情報もそれに対応させ、片方を無効にする。
【００３９】
また、規格上、一つのＡＳＶＵ内に格納される複数のＡＳＶＯＢの静止画表示時間は同じでなければならない。つまり、ＡＳＶＵＩ＃１に対応するＡＳＶＯＢ＃１と＃２の静止画表示時間は同一であり、ＡＳＶＵＩ＃２に対応するＡＳＶＯＢ＃１と＃２の静止画表示時間は同一である。ところが、ＡＳＶＵＩ＃１に対応するＡＳＶＯＢ＃１と＃２の静止画表示時間と、ＡＳＶＵＩ＃２に対応するＡＳＶＯＢ＃１と＃２の静止画表示時間とが異なる場合があり得る。このような場合には、結合処理に対応して、一つＡＳＶＵに格納される全てのＡＳＶＯＢの静止画表示時間が統一される。静止画表示時間は、図７に示すＡＳＶ表示情報７２６に記述されている。具体的には、ＡＳＶ＿ＤＵＲで、静止画表示時間＝ＡＳＶ＿ＤＵＲ＊１００［ｍｓ］で定義されている。
【００４０】
図１３は、代表音声（ＲＡ）を持つセルのＲＡ区間中に分割点が指定された場合の分割処理を示す図である。ＲＡとは、例えばオーディオコンテンツ情報に含まれるサビの部分である。ＲＡは、開始位置と長さにより、オーディオコンテンツ情報中に定義される。ＲＡ区間中に分割点が指定された場合、ＲＡは開始点を含むセルのみに残す。またはＲＡを解除してしまう方法が考えられる。図１４は、それぞれがＲＡを持つ二つのセルの結合処理を示す図である。また２つのセルにそれぞれＲＡを持つものを結合した場合はどちらか片方のＲＡを継承し、残りのＲＡは消去する。または両方解除する方法も考えられる。これらの場合、実際のデータでは、分割の場合は、プログラムについての記述、結合については、片方のＲＡの情報を削除しプログラム情報の記述を変更する。
【００４１】
図１５は、インデックスポイント（ＩｎｄｅｘＰｏｉｎｔ）が指定されたセルを分割した場合の図である。この場合、図１４に示すように分割された後続セルの先頭（分割点）にＩｎｄｅｘが追加される。データ構造では、セルの分割に伴う、図７のセル情報サーチポインタ群７３、セル一般情報７４０に関する部分が変更されるのと共に、セルエントリポイント情報群７４１の部分にも新しいＩｎｄｅｘが追加される。このように、分割点にｉｎｄｅｘが追加されることにより、容易に再生情報の頭出しが可能となる。
【００４２】
図１６〜図１８は、ＡＳＶＵの分割処理を示すフローチャートである。
【００４３】
図１６は、図８の第１の分割処理を示すフローチャートである。先ずユーザ等の編集指定により、分割する曲（プログラム情報、セル情報）から参照されるオーディオ、静止画像及びテキストを特定する（ＳＴ１１）。続いて、特定したオーディオの静止画像、テキストなどをコピーし、同一内容のＡＳＶＵ情報を作成する（ＳＴ１２）。続いて、プログラム分割点で、プログラム情報及びセル情報を分割作成する（ＳＴ１３）。続いて、分割した各プログラムに、コピーした静止画像、テキストなどを示すＡＳＶＵ情報を割り当てる（ＳＴ１４）。
【００４４】
図１７は、図９の第２の分割処理を示すフローチャートである。先ずユーザ等の編集指定により、分割する曲（プログラム情報、セル情報）から参照されるオーディオ、静止画像及びテキストを特定する（ＳＴ２１）。続いて、プログラム分割点で、プログラム情報及びセル情報を分割作成する（ＳＴ２２）。続いて、分割したどちらか片方のプログラムにＡＳＶＵ情報を割り当てる（ＳＴ２３）。
【００４５】
図１８は、図１１の第４の分割処理を示すフローチャートである。先ずユーザ等の編集指定により、分割する曲（プログラム情報、セル情報）から参照されるオーディオ、静止画像及びテキストを特定する（ＳＴ３１）。続いて、分割点におけるＡＳＶＵ情報をチェックし（ＳＴ３２）、分割後のＡＳＶＯＢの割合などを決定する（ＳＴ３３）。続いて、プログラム分割点で、プログラム情報及びセル情報を分割作成する（ＳＴ３４）。続いて、分割したそれぞれのプログラムに分割点に位置によって決定した割合でＡＳＶＵを割り当てる（ＳＴ３５）。
【００４６】
図１９〜図２２は、各分割処理における実際のデータ構造の変化を示す。図１９に示すように、例えば第１の分割処理により一つのコンテンツ（プログラム情報、セル情報）が二つのコンテンツに分割されるとき、ＡＳＶＵＩ＿ＳＲＰ＃２、及びＡＳＶＵＩ＃２が追加される。ＡＳＶＵＩ＃２は、ＡＳＶＵＩ＃１の複製である。さらに、図２０に示すように、ＰＧＩ＃１がＰＧＩ＃１とＰＧＩ＃２に編集され、ＣＩ＿ＳＲＰ＃１がＣＩ＿ＳＲＰ＃１とＣＩ＿ＳＲＰ＃２に編集され、ＣＩ＃１がＣＩ＃１とＣＩ＃２に編集される。
【００４７】
図２１に示すように、例えば第４の分割処理により一つのコンテンツ（プログラム情報、セル情報）が二つのコンテンツに分割されるとき、ＡＳＶＵＩ＿ＳＲＰ＃２、及びＡＳＶＵＩ＃２が追加される。このとき、ＡＳＶＵＩ＿ＳＲＰ＃１には元のＡＳＶＯＢ＿ＥＮＴ＃１が割り当てられ、ＡＳＶＵＩ＿ＳＲＰ＃２には元のＡＳＶＯＢ＿ＥＮＴ＃２，３，４（新たなＡＳＶＯＢ＿ＥＮＴ＃１，２，３）が割り当てられる。さらに、図２２に示すように、ＰＧＩ＃１がＰＧＩ＃１とＰＧＩ＃２に編集され、ＣＩ＿ＳＲＰ＃１がＣＩ＿ＳＲＰ＃１とＣＩ＿ＳＲＰ＃２に編集され、ＣＩ＃１がＣＩ＃１とＣＩ＃２に編集される。
【００４８】
図２３は、ＡＳＶＵの結合処理を示すフローチャートである。先ずユーザ等の編集指定により、分割する曲（プログラム情報、セル情報）から参照されるオーディオ、静止画像及びテキストを特定する（ＳＴ４１）。続いて、ＡＳＶＵ情報＃２の情報をＡＳＶＵ情報＃１に加え、ＡＳＶＵ＃１の情報を更新する（ＳＴ４２）。続いて、ＡＳＶＵ＃２を削除する（ＳＴ４３）。続いて、プログラム情報＃１と＃２を結合し、それぞれのプログラム情報中のセル情報をプログラム情報＃１の中に取り込む（ＳＴ４４）。続いて、プログラム情報＃２を削除する（ＳＴ４５）。続いて、プログラム情報＃１にＡＳＶＵ情報＃１を割り当てる（ＳＴ４６）。
【００４９】
図２４及び図２５は、ＡＳＶＵの結合処理における実際のデータ構造の変化を示す。図２４に示すように、結合処理により二つのコンテンツ（プログラム情報、セル情報）を一つのコンテンツに結合するとき、ＡＳＶＵＩ＿ＳＲＰ＃１及びＡＳＶＵＩ＿ＳＲＰ＃２がＡＳＶＵＩ＿ＳＲＰ＃１に纏められ、ＡＳＶＵＩ＃１及びＡＳＶＵＩ＃２がＡＳＶＵＩ＃１に纏められる。つまり、ＡＳＶＵＩ＃１に割り当てられたＡＳＶＯＢ＿ＥＮＴ＃１及びＡＳＶＯＢ＿ＥＮＴ＃２と、ＡＳＶＵＩ＃２に割り当てられたＡＳＶＯＢ＿ＥＮＴ＃１及びＡＳＶＯＢ＿ＥＮＴ＃２とが、新たなＡＳＶＵＩ＃１に割り当てられる。さらに、図２５に示すように、ＰＧＩ＃１とＰＧＩ＃２がＰＧＩ＃１に編集され、ＣＩ＿ＳＲＰ＃１とＣＩ＿ＳＲＰ＃２がＣＩ＿ＳＲＰ＃１に編集され、ＣＩ＃１とＣＩ＃２がＣＩ＃１に編集される。
【００５０】
図２６は、ＲＡを含むプログラムを分割したときのフローチャートである。先ずユーザ等の編集指定により、分割する曲（プログラム情報、セル情報）から参照されるオーディオ、静止画像及びテキストを特定する（ＳＴ５１）。続いて、プログラム情報を分割しＲＡの開始位置を調べる（ＳＴ５２）。続いて、ＲＡ開始位置を含む方のプログラム情報のＣ＿ＥＰＩにＲＡの情報を残す（ＳＴ５３）。
【００５１】
図２７は、ＲＡを含むプログラムを結合した時のフローチャートである。先ずユーザ等の編集指定により、分割する曲（プログラム情報、セル情報）から参照されるオーディオ、静止画像及びテキストを特定する（ＳＴ６１）。結合するプログラムの両方にＲＡがある場合は（ＳＴ６２、ＹＥＳ）、どちらか片方のＲＡの情報をＣ＿ＥＰＩから削除したＣ＿ＧＩを作成し（ＳＴ６３）、プログラムを結合する（ＳＴ６４）。結合するプログラムの片方にしかＲＡが無い場合は、そのままプログラムを結合する（ＳＴ６４）。
【００５２】
図２８は、インデックスポイントを含むプログラムを分割した時のフローチャートである。先ずユーザ等の編集指定により、分割する曲（プログラム情報、セル情報）から参照されるオーディオ、静止画像及びテキストを特定する（ＳＴ７１）。続いて、インデックスのある位置を調べる（ＳＴ７２）。インデックスが分割点の位置にある場合は（ＳＴ７３、ＮＯ）、そのままプログラムを分割する（ＳＴ７５）。インデックスが分割点の位置に無い場合は（ＳＴ７３、ＹＥＳ）、分割点で新たにインデックスポイントを作成し（ＳＴ７４）、プログラムを分割する（ＳＴ７５）。
【００５３】
以上説明したように、この発明によれば、ＤＶＤ−ＡＲ中の一つのＴｒａｃｋ（Ｐｒｏｇｒａｍ）分割に対応して生成される複数のＴｒａｃｋ（Ｐｒｏｇｒａｍ）中の以下の情報の取り扱いが制御される。
【００５４】
（ａ）ＲＥＰ＿ＰＩＣＴＩ（代表画像）
（ｂ）ＡＳＶＵ
（ｃ）Ｉｎｄｅｘ
（ｄ）ＲＡ（代表音声）
これにより、ＤＶＤ−ＡＲの規格に準拠したデータ構造を維持したまま、ユーザの希望する位置でコンテンツを自由に分割編集することができる。その結果、ＤＶＤ−ＡＲの規格に準拠したコンテンツを再生することができる再生装置により、分割編集に対応した再生が実現できる。
【００５５】
また、この発明によれば、ＤＶＤ−ＡＲ中の複数Ｔｒａｃｋ（Ｐｒｏｇｒａｍ）の結合に対応して生成される一つのＴｒａｃｋ（Ｐｒｏｇｒａｍ）中の以下の情報の取り扱いの制御が制御される。
（ａ）ＲＥＰ＿ＰＩＣＴＩ（代表画像）
（ｂ）ＡＳＶＵ
（ｃ）ＲＡ（代表音声）
これにより、ＤＶＤ−ＡＲの規格に準拠したデータ構造を維持したまま、ユーザの希望する複数コンテンツを自由結合編集することができる。その結果、ＤＶＤ−ＡＲの規格に準拠したコンテンツを再生することができる再生装置により、結合編集に対応した再生が実現できる。
【００５６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００５７】
【発明の効果】
この発明によれば、再生機器により編集された音楽コンテンツが編集結果に対応して再生されるように、ユーザの編集指示に対応したデータ構造の音楽コンテンツを編集記録することが可能な編集記録方法及び編集記録装置を提供できる。
【図面の簡単な説明】
【図１】オーディオコンテンツ情報記録再生装置の概略構成の一例を示す図である。
【図２】ディスク形状の情報記憶媒体に格納されるデータ構造の一例を示す図である。
【図３】オーディオ管理情報記録領域に格納される情報の一例を示す図である。
【図４】オーディオ管理情報管理テーブル及びプレイリスト情報テーブルの情報の一例を示す図である。
【図５】オーディオ・ファイル情報テーブルに格納される情報の一例を示す図である。
【図６】オーディオ静止画像ファイル情報テーブルに格納される情報の一例を示す図である。
【図７】プログラム・チェーン情報に格納される情報の一例を示す図である。
【図８】第１の分割処理の一例を示す図である。
【図９】第２の分割処理の一例を示す図である。
【図１０】第３の分割処理の一例を示す図である。
【図１１】第４の分割処理の一例を示す図である。
【図１２】両方のセルにＡＳＶＵを持つセル同士の結合処理の一例を示す図である。
【図１３】代表音声（ＲＡ）を持つセルのＲＡ区間中に分割点が指定された場合の分割処理の一例を示す図である。
【図１４】それぞれがＲＡを持つ二つのセルの結合処理の一例を示す図である。
【図１５】分割処理とＩｎｄｅｘＰｏｉｎｔの関係を示す図である。
【図１６】第１の分割処理の一例を示すフローチャートである。
【図１７】第２の分割処理の一例を示すフローチャートである。
【図１８】第３の分割処理の一例を示すフローチャートである。
【図１９】第１の分割処理に対応するオーディオ静止画像ユニット情報群のデータ構造の変化を示す図である。
【図２０】第１の分割処理に対応するプログラム情報及びセル情報のデータ構造の変化を示す図である。
【図２１】第４の分割処理に対応するオーディオ静止画像ユニット情報群のデータ構造の変化を示す図である。
【図２２】第４の分割処理に対応するプログラム情報及びセル情報のデータ構造の変化を示す図である。
【図２３】ＡＳＶＵの結合処理の一例を示すフローチャートである。
【図２４】結合処理に対応するオーディオ静止画像ユニット情報群のデータ構造の変化を示す図である。
【図２５】結合処理に対応するプログラム情報及びセル情報のデータ構造の変化を示す図である。
【図２６】ＲＡを含むプログラムの分割処理の一例を示すフローチャートである。
【図２７】ＲＡを含むプログラムの結合処理の一例を示すフローチャートである。
【図２８】インデックスポイントを含むプログラムの分割処理を示すフローチャートである。
【符号の説明】
１…ディスク、３０２…ディスクドライブ部、３０３…データプロセッサ部、３０４…一時記憶部、３０５…メインＭＰＵ部、３０６…編集機能処理部、３２０…記録部、３３０…再生部
【図１】
2004326925.tif 000003
【図２】
2004326925.tif 000004
【図３】
2004326925.tif 000005
【図４】
2004326925.tif 000006
【図５】
2004326925.tif 000007
【図６】
2004326925.tif 000008
【図７】
2004326925.tif 000009
【図８】
2004326925.tif 000010
【図９】
2004326925.tif 000011
【図１０】
2004326925.tif 000012
【図１１】
2004326925.tif 000013
【図１２】
2004326925.tif 000014
【図１３】
2004326925.tif 000015
【図１４】
2004326925.tif 000016
【図１５】
2004326925.tif 000017
【図１６】
2004326925.tif 000018
【図１７】
2004326925.tif 000019
【図１８】
2004326925.tif 000020
【図１９】
2004326925.tif 000021
【図２０】
2004326925.tif 000022
【図２１】
2004326925.tif 000023
【図２２】
2004326925.tif 000024
【図２３】
2004326925.tif 000025
【図２４】
2004326925.tif 000026
【図２５】
2004326925.tif 000027
【図２６】
2004326925.tif 000028
【図２７】
2004326925.tif 000029
【図２８】
2004326925.tif 000030